(57)【要約】【課題】操作パネルをリアパネル２に対してワンタッチで取付け取外しが可能であり、長時間使用しても操作パネルとリアパネルとの嵌合が緩くなることのない電子機器のパネル構造を提供する。【解決手段】夫々端面が長方形を形成する箱形の樹脂パネルおよび樹脂リアパネル２の前記端面を突き合わせ、内部空間を挟んで対向する前記突き合わされた端面の近傍に夫々係止部２ｂを設け、前記係止部２ｂの少なくとも一方を樹脂の弾力により係止させるとともに、前記樹脂パネルおよび樹脂リアパネル２の一方に底面から垂直上方向に延びる平板形状リブ２ｄを設け、前記リブ２ｄに装着した金具４により前記樹脂パネルまたは樹脂リアパネルの前記端面が内側へ変位することを防止するように構成した。【選択図】図３
2008028148.tif 000002
【特許請求の範囲】
【請求項１】
夫々端面が長方形を形成する箱形の樹脂パネルおよび樹脂リアパネルの前記端面を突き合わせ、内部空間を挟んで対向する前記突き合わされた端面の近傍に夫々係止部を設け、前記係止部の少なくとも一方を樹脂の弾力により係止させるとともに、前記樹脂パネルおよび樹脂リアパネルの一方に底面から垂直上方向に延びる平板形状リブを設け、前記リブに装着した金具により前記樹脂パネルまたは樹脂リアパネルの前記端面が内側へ変位することを防止するように構成した電子機器のパネル構造。
【請求項２】
前記金具に板金加工で形成される爪の縁部の鋭角部が前記平板形状リブに食い込むことにより前記金具の前記樹脂パネルまたは樹脂リアパネルに対する移動が規制される請求項１の電子機器のパネル構造。
【請求項３】
前記爪は互いに直交する方向に延びる幅を有する２種類の爪により前記金具の前記樹脂パネルまたは樹脂リアパネルに対する底面から垂直上方向および底面と平行方向の変位が規制される請求項２の電子機器のパネル構造。
【請求項４】
前記金具の両側面が前記樹脂パネルまたは樹脂リアパネルの対向する内壁面と当接することにより前記樹脂パネルまたは樹脂リアパネルの前記端面の内側への変位を規制する請求項１から３のいずれかに記載した電子機器のパネル構造。
【請求項５】
前記金具の両側面が前記樹脂パネルまたは樹脂リアパネルの対向する内壁面と当接し、前記金具に板金加工で形成された爪が前記平板形状リブに形成された凹みまたは穴に突入することにより前記金具の前記樹脂パネルまたは樹脂リアパネルに対する変位が規制される請求項１の電子機器のパネル構造。
【発明の詳細な説明】
【技術分野】
【０００１】
この発明は電子機器に係わり、特に、そのパネル構造に関する。
【背景技術】
【０００２】
従来の電子機器のパネル構造の例を図６により説明する。図６（ａ）は従来の電子機器のパネル構造を示す断面図である。図に示す樹脂製のパネル１および樹脂製のリアパネル２は夫々開口部が長方形の箱形に形成されており、その開口部が合わされて密閉される空間内に電子機器を収容する。
【０００３】
図６（ｂ）に詳しく示すように、リアパネル２の開口部周辺にはフランジ２ａが形成され、対向する開口部両縁に夫々凹み２ｃおよび爪２ｂが設けられている。パネル１とリアパネル２とを嵌着させるには、リアパネル２のフランジ２ａの上にパッキング３を置き、パネル１の凸部１ａをリアパネル２の凹み２ｃに嵌合させ、パネル１をリアパネル２側に押し込む。
【０００４】
すると、爪２ｂの先端傾斜部がパネル１の縁で押され、爪２ｂが一旦内側に弾性変形した後元にもどりパネル１の凹み１ｂに入り込みパネル１とリアパネル２とが嵌着状態となる。この状態でパッキング３は圧縮された状態となり防水・防塵機能を果たす。なお、リアパネル２の剛性を高めるために板形状のリブ２ｄがリアパネル２に一体に形成されている。
【０００５】
上記した従来の電子機器のパネル構造では、パッキング３の弾力によりパネル１がリアパネル２から離れる方向の力を受けている。この力は爪２ｂに対して矢印Ａ方向の内側に倒れる方向に作用している。この結果パネル１とリアパネル２との嵌合が緩くなるという問題があった。この傾向はリアパネル１が樹脂であるため、高温下で特に著しく現れていた。
【０００６】
実用新案登録第２５２７３７５号公報に提案された電子機器の防水構造では、無線通信機本体２に固定された掛金具４に操作パネル１の上部突起５を係合させ、無線通信機本体２に設けられた穴にねじ６を外部から挿通し、無線通信機本体２内部に配置される締め付具１１と螺合させていた。
【０００７】
上記構造では、操作パネル１またはと無線通信機本体２が変形して嵌合が緩くなることはないが、ねじ６を無線通信機本体２内部に配置される締め付具１１と螺合させるため、操作パネル１の無線通信機本体２への取付け取外しが面倒であるという問題があった。
【特許文献１】実用新案登録第２５２７３７５号公報、段落０００６〜段落０００９、図１、図２
【発明の開示】
【発明が解決しようとする課題】
【０００８】
この発明は上記した問題を解決するためになされたものであって、その目的とするところは、操作パネルをリアパネルに対してワンタッチで取付け取外しが可能であり、長時間使用しても操作パネルとリアパネルとの嵌合が緩くなることのない電子機器のパネル構造を提供することにある。
【課題を解決するための手段】
【０００９】
この発明の電子機器のパネル構造は、夫々端面が長方形を形成する箱形の樹脂パネルおよび樹脂リアパネルの前記端面を突き合わせ、内部空間を挟んで対向する前記突き合わされた端面の近傍に夫々係止部を設け、前記係止部の少なくとも一方を樹脂の弾力により係止させるとともに、前記樹脂パネルおよび樹脂リアパネルの一方に底面から垂直上方向に延びる平板形状リブを設け、前記リブに装着した金具により前記樹脂パネルまたは樹脂リアパネルの前記端面が内側へ変位することを防止するように構成したものである。
【００１０】
また、前記電子機器のパネル構造において、前記金具に板金加工で形成される爪の縁部の鋭角部が前記平板形状リブに食い込むことにより前記金具の前記樹脂パネルまたは樹脂リアパネルに対する移動が規制されるものである。
【００１１】
また、前記各電子機器のパネル構造において、前記爪は互いに直交する方向に延びる幅を有する２種類の爪により前記金具の前記樹脂パネルまたは樹脂リアパネルに対する底面から垂直上方向および底面と平行方向の変位が規制されるものである。
【００１２】
また、前記各電子機器のパネル構造において、前記金具の両側面が前記樹脂パネルまたは樹脂リアパネルの対向する内壁面と当接することにより前記樹脂パネルまたは樹脂リアパネルの前記端面の内側への変位を規制するものである。
【００１３】
さらに、前記夫々端面が長方形を形成する箱形の樹脂パネルおよび樹脂リアパネルの前記端面を突き合わせ、内部空間を挟んで対向する前記突き合わされた端面の近傍に夫々係止部を設け、前記係止部の少なくとも一方を樹脂の弾力により係止させるとともに、前記樹脂パネルおよび樹脂リアパネルの一方に底面から垂直上方向に延びる平板形状リブを設け、前記リブに装着した金具により前記樹脂パネルまたは樹脂リアパネルの前記端面が内側へ変位することを防止する電子機器のパネル構造において、前記金具の両側面が前記樹脂パネルまたは樹脂リアパネルの対向する内壁面と当接し、前記金具に板金加工で形成された爪が前記平板形状リブに形成された凹みまたは穴に突入することにより前記金具の前記樹脂パネルまたは樹脂リアパネルに対する変位が規制されるものである。
【発明の効果】
【００１４】
この発明の電子機器のパネル構造によれば、操作パネルをリアパネルに対してワンタッチで取付け取外しが可能であり、長時間使用しても操作パネルとリアパネルとの嵌合が緩くなることがなく、衝撃を受けても操作パネルがリアパネルから外れることがない。
【発明を実施するための最良の形態】
【００１５】
以下この発明を実施するための最良の形態を実施例に即して説明する。
【実施例１】
【００１６】
実施例１の電子機器のパネル構造は図６で説明した従来の電子機器のパネル構造と同じパネル１、リアパネル２およびパッキング３が用いられ、リアパネル２のリブ２ｄに図１に示す金具４が装着される。図１（ａ）は実施例１の電子機器のパネル構造に用いられる金具４を示す平面図、図１（ｂ）は同金具４を示す左側面図、図１（ｃ）は同金具４の装着状態を示す右側面図、図１（ｄ）は同金具４を示す正面図、図１（ｅ）は同金具４を示す拡大部分背面図である。
【００１７】
図１に示す金具４は板金加工により作られ、略コ字形の平板部４ｎの底部に底部折り曲げ片４ａが左右の両側部に左側面折り曲げ片４ｃおよび右側面折り曲げ片４ｂが夫々形成されている。また、平板部４ｎから下方に折り返すように板ばね部４ｅが形成されている。
【００１８】
平板部４ｎの右側に折り曲げて形成された水平部には凹み４ｄが形成されている。また、平板部４ｎには爪４ｆ、４ｆが形成され、さらに、板ばね部４ｅの側部には爪４ｇが形成されている。
【００１９】
図２（ａ）に示すように爪４ｆ、４ｆの先端は尖っている。図２（ｂ）に示すように爪４ｆのばり突出側面４ｍは曲げ加工内側となっている。また、図２（ｃ）に示すように爪４ｇのばり突出側面４ｈは曲げ加工内側となっている。
【００２０】
図３（ａ）は金具４の装着状態を示す部分斜視図、図３（ｂ）は金具４の装着状態を示す部分断面図である。金具４をリアパネル２のリブ２ｄに装着するには、先ず、図３（ａ）に示すように金具４の左側から先に矢印Ａの方向にリアパネル２に挿入し、次に、金具４の右側を矢印Ｂの方向に回転するようにリアパネル２に挿入する。
【００２１】
金具４が装着されるとリアパネル２のリブ２ｄが金具４の凹みに嵌まり込み、金具４のリブ２ｄと垂直方向の位置決めがなされる。また、金具４の底部折り曲げ片４ａ、右側面折り曲げ片４ｂおよび左側面折り曲げ片４ｃはリアパネル２の内面と当接状態となる。
【００２２】
金具４の板ばね部４ｅおよび爪４ｆは自然状態では図３（ｂ）の実線で示す位置にあるが、金具４がリアパネル２のリブ２ｄに装着されると板ばね部４ｅおよび爪４ｆはリブ２ｄに押されて弾性変形し、点線で示す位置となる。この状態では爪４ｆおよび爪４ｇの縁部の鋭角部（板金加工時に発生するばり）がリアパネル２のリブ２ｄに食い込むようになる。なお、爪４ｆの先端が尖っているので、爪４ｆはリブ２ｄに深く食い込むことになる。
【００２３】
図４にこれらの爪がリブ２ｄに食い込む状態が示されている。図４（ａ）に示すように金具４の爪４ｇが左方向（矢印Ｌ方向）に移動しようとすると、爪４ｇのリブ２ｄへの食い込みによりその動きが規制される。また、図４（ｂ）に示すように金具４の爪４ｆが上方向（矢印Ｕ方向）に移動しようとすると、爪４ｆのリブ２ｄへの食い込みによりその動きが規制される。このように金具４の上方向に外れる方向への移動および左方向（矢印Ｌ方向）への移動が規制される。
【００２４】
金具４の左方向への移動が規制されることにより、リアパネル２の爪２ｂが内側に倒れ込む変形が防止される。なお、パッキング３の弾力はリアパネル２の縁が内側に変形しようとする力として作用するが、金具４の右側面折り曲げ片４ｂと左側面折り曲げ片４ｃがリアパネル２の内面と当接していることによっても金具４の左方向への移動が規制され、爪２ｂが内側に倒れ込む変形が防止され、パネル１とリアパネル２の嵌合が緩むことがなくなる。
【００２５】
金具４の爪４ｇと２個の爪４ｆがリブ２ｄを挟むようにリブ２ｄの両側面に食い込むので金具４のリブ２ｄに対する捩じれに対する剛性も大きくなり金具４は強固にリアパネル２に固定され、衝撃を受けてもリアパネル２から外れない。
【００２６】
パネル１をリアパネル２から外す場合は、パネル１をリアパネル２から外す方向に強く引張ることによりリアパネル２の爪２ｂがパネル１の斜面に押されて弾性変形し、パネル１の凹み１ｂから外れるようにする。このように、パネル１をリアパネル２にワンタッチで取付け取り外すことが可能であり、しかも、パネル１とリアパネル２との嵌合が緩むことがない。
【実施例２】
【００２７】
図５はこの発明の実施例２である電子機器のパネル構造を示す部分分解斜視図である。この例ではリアパネルのリブ２ｄにアンダーカットにより穴２ｅが設けられ、金具５に穴２ｅに突入する爪５ａが形成されている。リアパネルの他の構成は実施例１のリアパネル２と同様であり、金具５の他の構成は爪４ｇが設けられていない他は実施例１の金具４と同様である。また、実施例１と同様のパネル１およびパッキング３が用いられる。
【００２８】
この例では金具５をリアパネルのリブ２ｄに装着するときに金具５の爪５ａが一旦弾性変形した後元に戻りリブ２ｄの穴２ｅに入り込む。爪５ａと穴２ｅとの爪５ａ幅方向の遊びはなく、金具５のリアパネルに対する横方向の移動は爪５ａと穴２ｅとの係合により規制される。そして、金具５は爪５ａが穴２ｅに係止されているためリアパネルから抜けることがない。
【００２９】
この例でもリアパネル２の爪２ｂが金具５により内側から押えられ、パネル１とリアパネル２の嵌合が緩くなることがない。そして、この例では金具５の爪５ａを内側から押して弾性変形させ金具５をリアパネル２から取外した後も再度金具５をリアパネル２に装着して用いることができる。
【００３０】
実施例は以上のように構成されているが発明はこれに限られず、例えば、弾性変形する爪をリアパネル２の両側の縁に設けてもよい。
【図面の簡単な説明】
【００３１】
【図１】図１（ａ）この発明の実施例１である電子機器のパネル構造に用いられる金具を示す平面図、図１（ｂ）は同金具を示す左側面図、図１（ｃ）は同金具の装着状態を示す右側面図、図１（ｄ）は同金具を示す正面図、図１（ｅ）は同金具を示す拡大部分背面図である。
【図２】図２（ａ）は同金具を示す部分平面図、図２（ｂ）は同金具を示す部分正面図、図２（ｃ）は同金具を示す部分斜視図である。
【図３】図３（ａ）は同金具の装着状態を示す部分斜視図、図３（ｂ）は同金具の装着状態を示す部分断面図である。
【図４】図４（ａ）は同電子機器のパネル構造の作用を説明するための部分水平断面図、図４（ｂ）は同電子機器のパネル構造の作用を説明するための部分垂直断面図である。
【図５】この発明の実施例２である電子機器のパネル構造を示す部分分解斜視図である。
【図６】図６（ａ）は従来の電子機器のパネル構造の例を示す断面図、図６（ｂ）は同電子機器のパネル構造の部材を示す断面図である。
【符号の説明】
【００３２】
１  パネル、１ａ  凸部、１ｂ  凹み
２  リアパネル、２ａ  フランジ、２ｂ  爪、２ｃ  凹み、２ｄ  リブ、２ｅ  穴
３  パッキング
４  金具、４ａ  底部折り曲げ片、４ｂ  右側面折り曲げ片、４ｃ  左側面折り曲げ片  ４ｄ  凹み、４ｅ  板ばね部、４ｆ  爪、４ｇ  爪、４ｈ、４ｍ  ばり突出側面
４ｎ  平板部
５  金具、５ａ  爪
【図１】
2008028148.tif 000003
【図２】
2008028148.tif 000004
【図３】
2008028148.tif 000005
【図４】
2008028148.tif 000006
【図５】
2008028148.tif 000007
【図６】
2008028148.tif 000008